(57)【要約】【課題】電気設備をベースの上に載せた状態で、電気室の床に電気設備を固定できるような構造を実現する。【解決手段】電気設備の水平レベル確保するためのベースを介して電気室床に電気設備が据え付けられる電気設備の据え付け構造であって、電気設備９とベース１とを貫通し電気設備９とベース１とを連結する第１のボルト３１と、電気設備とベース１とを貫通して電気室床２０にねじ込まれ電気設備を電気室床２０に固定する第２のボルト３０とにより、電気設備９が電気室床２０に前記ベース１を介して据え付けられている。【選択図】図５
2018093634.tif 000002
【特許請求の範囲】
【請求項１】
電気設備の水平レベル確保するためのベースを介して電気室床に前記電気設備が据え付けられる電気設備の据え付け構造であって、
前記電気設備と前記ベースとを貫通し前記電気設備と前記ベースとを連結する第１のボルトと、前記電気設備と前記ベースとを貫通して前記電気室床にねじ込まれ前記電気設備を前記電気室床に固定する第２のボルトとにより、前記電気設備が前記電気室床に前記ベースを介して据え付けられている電気設備の据え付け構造。
【請求項２】
請求項１に記載の電気設備の据え付け構造において、前記第１のボルトが貫通する貫通穴と、前記第１のボルトが貫通する貫通穴とが、前記電気設備と前記ベースのそれぞれの所定距離離れた位置に配設されていることを特徴とする電気設備の据え付け構造。
【請求項３】
請求項１または請求項２に記載の電気設備の据え付け構造において、前記ベースが、前記電気設備と前記電気室床との間に挟まれた状態で、前記電気設備が前記電気室床に直接固定されていることを特徴とする電気設備の据え付け構造。
【請求項４】
請求項２に記載の電気設備の据え付け構造において、前記貫通穴が長穴であることを特徴とする電気設備の据え付け構造。
【請求項５】
請求項２に記載の電気設備の据え付け構造において、前記電気設備の前記電気室床への固定が、前記電気設備の底部の四隅で行われ、同じ側の複数の前記貫通穴が一列に整列して配設されていることを特徴とする電気設備の据え付け構造。
【発明の詳細な説明】
【技術分野】
【０００１】
この発明は，受配電設備などの電気設備の据え付け構造に関するものである。
【背景技術】
【０００２】
受配電設備を電気室の床に据え付ける際には、受配電機器が傾いて、本来具備している性能に影響を与えないように、据え付ける床の水平度を一定値以内にした上で、受配電機器を据え付けることが一般的である。床面の水平面を確保する為の施策として、「ベース」と呼ばれる形鋼、又は鉄板を床面に敷いて、先に水平度を確保しておき、その上に受配電設備を据え付けることがあり、ベースを用いた受配電設備の据え付けの例が特許文献１の図１に開示されている。
【先行技術文献】
【特許文献】
【０００３】
【特許文献１】実用新案出願公開昭59-195909
【発明の概要】
【発明が解決しようとする課題】
【０００４】
受配電設備を据え付ける床の水平度を確保することが目的のベースであるが、受配電設備とベースを別々に発送する場合、ベースの保管費用及び輸送費用が発生し、コストがアップするという問題点があった。
コストアップを抑制する為、受配電設備をベースに予め載せた状態で発送することが考えられるが、参考文献１の例では、実際に据え付ける際に、受配電設備をベースに載せた状態で、受配電設備を電気室の床に固定することが困難であり、一度、据え付け前に、受配電設備をベースから降ろして、ベースを電気室の床に先に固定した後で、再び、受配電設備をベースの上に載せて固定し、間接的に受配電設備と電気室の床とを固定する必要がある。
【０００５】
特許文献１の第１図では、ベースと電気室を固定するボルトの上側のベース上部に穴(
ボルト１１の左に有るＢベース６の白抜き部)が設けてある。これは、ベースを床にボル
トで固定する際に、ベース上部の穴から、ボルトを挿入できるようにする為の穴である。この穴の上にある閉鎖配電盤側には穴が設けていないことから、閉鎖配電盤の床からボルトを挿入して、ベースと電気室床とを固定できないことが読み取れる。その為、このベースと閉鎖配電盤とを電気室床に固定する際には、予め、ベースを電気室の床にボルトで固定した後で、ベースと閉鎖配電盤を取り付ける構造であることが読み取れる。特許文献１の第２図についても同様である。
【０００６】
そこで、受配電設備の据え付け前に、受配電設備を一度ベースから降ろす作業を省略できれば受配電設備の据え付け作業の作業性が向上し、コストも削減することが可能となり好ましい。そのためには、受配電設備をベースの上に載せた状態で、電気室の床に受配電設備を固定できるような構造に改善することが好ましい。
【０００７】
この発明はこのような実情に鑑みてなされたもので、電気設備をベースの上に載せた状態で、電気室の床に電気設備を固定できるような構造を実現することを目的とするものである。
【課題を解決するための手段】
【０００８】
この発明に係る電気設備の据え付け構造は、電気設備の水平レベル確保するためのベースを介して電気室床に前記電気設備が据え付けられる電気設備の据え付け構造であって、
前記電気設備と前記ベースとを貫通し前記電気設備と前記ベースとを連結する第１のボルトと、前記電気設備と前記ベースとを貫通して前記電気室床にねじ込まれ前記電気設備を前記電気室床に固定する第２のボルトとにより、前記電気設備が前記電気室床に前記ベースを介して据え付けられているものである。
【発明の効果】
【０００９】
この発明は、電気設備の水平レベル確保するためのベースを介して電気室床に前記電気設備が据え付けられる電気設備の据え付け構造であって、前記電気設備と前記ベースとを貫通し前記電気設備と前記ベースとを連結する第１のボルトと、前記電気設備と前記ベースとを貫通して前記電気室床にねじ込まれ前記電気設備を前記電気室床に固定する第２のボルトとにより、前記電気設備が前記電気室床に前記ベースを介して据え付けられているので、電気設備をベースの上に載せた状態で、電気室の床に電気設備を固定できるような構造を実現することができる。
【図面の簡単な説明】
【００１０】
【図１】この発明の実施の形態１を示す図で、ベースを上側から見た斜視図である。
【図２】この発明の実施の形態１を示す図で、図１のベースを裏側から見た斜視図である。
【図３】この発明の実施の形態１を示す図で、電気設備の筐体を裏側から見た下面図である。
【図４】この発明の実施の形態１を示す図で、電気設備筐体をベースの上に搭載した状態を例示する斜視図である。
【図５】この発明の実施の形態１を示す図で、図４における断面Z-Zの拡大図であり、要部を拡大して例示する上側から見た斜視図である。
【図６】この発明の実施の形態２を示す図で、ベースを上側から見た斜視図である。
【図７】この発明の実施の形態２を示す図で、電気設備の筐体を裏側から見た下面図である。
【発明を実施するための形態】
【００１１】
以下に、本発明に係る受配電設備の実施の形態を図面に基づいて説明する。なお、本発明は以下の記述に限定されるものではなく、また、以下に示す図面においては、便宜上、各部材の縮尺が実際とは異なる場合があり、また、本発明の特徴に関係しない構成の図示は省略してある。
【００１２】
実施の形態１．
以下、図１から図５によりこの発明の実施形態１を説明する。図１はベース１を上側から見た斜視図、図２は図１のベースを裏側から見た斜視図、図３は電気設備の筐体を裏側から見た下面図、図４は電気設備筐体をベースの上に搭載した状態を例示する斜視図、図５は図４における断面Z-Zの拡大図であり、要部を拡大して例示する上側から見た斜視図である。なお、図４は、要部の明示及び説明の便宜上、電気設備の扉、側面化粧板、天井板を省略して図示してある。
【００１３】
図１から図５に明示してあるように、本実施の形態１は、受配電設備などの電気設備をベースの上に載せた状態で、電気室の床に電気設備を固定できるような具体的な構造として、電気設備の水平レベル確保用のベース１、電気設備の筐体９、ベース１の枠１１、ベース１の箱形台座１１１、ベース１に固着されたナット１１２、ベース１の対辺の上側（電気設備側）の板状部１２，１２、ベース１の裏側（電気室床２０側）の板状部（箱形台座１１１の裏側（電気室床２０側）の板状部）１３、電気設備を電気室床２０に固定する為にベース１の上側（電気設備側）の板状部１２に設けられた貫通穴１４、電気設備を電気室床２０に固定する為にベース１の裏側（電気室床２０側）の板状部１３に設けられた貫通穴１５、電気設備をベース１に固定する為にベース１の上側（電気設備９側）の板状部１２に設けられた貫通穴１６、電気設備を電気室床２０に固定する為の電気設備の底板（筐体９の底部に設けられた底板）９１に設けた貫通穴９７、ベース１と電気設備とを固定する為の電気設備の底板９１に設けられた貫通穴９８、電気設備を電気室床２０に固定する為の第２のボルトであるボルト３０、および電気設備をベースに固定する為の第１のボルトであるボルト３１を有している構造である。
【００１４】
貫通穴１４，１５，１６，９７，９８およびナット１１２は、図示のように、筐体９の底部の四隅に位置して設けられている。また、各貫通穴１４，１５，９７は、図示のように、各貫通穴１６，９８およびナット１１２より所定距離離れた外側に位置して設けられている。電気設備の電気室床２０への固定が、前記電気設備の底部の四隅で行われ、しかも、図示のように、同じ側の複数の前記貫通穴が一列に整列して配設されている。
ベース１は、鉄板を曲げて製作してもよいし、形鋼で製作してもよい。
【００１５】
貫通穴１４、１５、１６及び、貫通穴９７、９８は、図示のように、図において左右方向に整列して配設されている。これは、貫通穴１６がないベース１に筐体９を載せた場合に、貫通穴９８がベース１で隠れるようにすることを考慮している為である。このような形状にすることで、貫通穴９８から異物が筐体９内のスイッチギヤ等の機器本体（図示せず）内に侵入することを防ぐことができる。
【００１６】
図５に例示してあるように、電気設備側に設けた貫通穴９８とベース１側の貫通穴１６とにボルト３１を通して、電気設備の筐体９とベース１とを連結してベース１に筐体９（つまり電気設備）を固定する。これにより、電気設備とベース１とを一体に組み立てた状態で、電気設備据え付け現場への発送、運搬が可能となる。
【００１７】
更に、穴１４、穴１５及び穴９７が上下方向に一連に貫通しており、これら上下に一連の穴１４、穴１５及び穴９７に、ボルト３０を、電気設備の底部における上側から下方へ挿入して、ボルト３０を電気室床２０にねじ込むことにより、電気室床２０と電気設備（筐体９）との間にベース１を挟んだ状態で、電気設備を電気室床２０に締め付けることが可能となり、ベース１から一度受配電設備（筐体９）を取り外して降ろして、ベース１と電気室床２０とを予め固定しておくといった従来必要であった作業は必要がなくなる。
なお、４０は各ボルト３０，３１用のワッシャである。
また、図示を省略してある扉、側面化粧板、及び天井板が、筐体９に取り付けられている状態において、ボルト３０，３１の締め付け、取り外しが可能なように、ボルト３０，３１の頭部と扉、側面化粧板とは所定距離隔てられている。そのために、穴１５，１６，９７，９８も板状部１２の側面から所定距離離れた位置に設けられている。
【００１８】
本実施の形態１の構造的特徴事項は、以下の１から５である。
１．ベース１の電気室の床側と電気設備側の両方に跨って貫通した所定間隔を隔てた一連の貫通穴１４，１５が設けられている。
２．ベース１の、前記穴１４，１５とは別の位置の電気設備側のみに貫通穴１６が設けられている。
３．受配電設備の床（底板９１）には、前記ベース１の一連の貫通穴１４，１５対応する貫通穴９７と、前記ベース１の貫通穴１６に対応する貫通穴９８とがそれぞれ設けられている。
４．前記ベース１の貫通穴１６と前記電気設備の貫通穴９８とを用いて、電気設備とベースとを固定して、ベース１が一体化された電気設備を構成する。
５．電気室の床に電気設備を固定する際には、ベース１の一連の貫通穴１４，１５と電気設備の貫通穴９７を用いて、ベース１が電気設備と電気室床２０との間に介在した状態にして、電気室の床に電気設備を直接固定する。
なお、ベース１の穴１４及び１５の付近には、電気設備を電気室の床に固定する際のボルト３０の締め付け力が印加される。ボルト３０の締め付け力でベース１が変形しないように、穴１４，１５付近の強度を増加させることが必要であり、実施の形態１では、穴１４及び１５の付近を部分的な直方体構造（図５から判明するように、ボルト３０が通る穴１４が設けられた板状部１２に、ボルト３０が通る穴１５設けられた箱形台座１１１が固着され、板状部１２の箱形台座１１１が固着された部分と箱形台座１１１とで直方体構造が形成され、その部分の垂直段面の形状が中空長方形状となり、その上下の対辺部をボルト３０が貫通し当該上下の対辺部にボルト３０の締め付け圧力が加わるが、当該圧力を左右の対辺部が両持ちすることになる）とすることで、強度を確保している。
【００１９】
実施の形態２．
以下、図６および図７によりこの発明の実施形態２を説明する。図６はベースを上側から見た斜視図、図７に電気設備の筐体を裏側から見た下面図である。
実施の形態２では、図示のように、電気室床と固定する為の電気設備の筐体９の床（底板９１）の穴（実施の形態１における穴９７，９８に相当する穴）を長穴９７２，９８２とし、ベースの穴１４に相当する穴を長穴１４２とした事例を示してある。
図では明示していないが、穴１４２は、長穴がベース１の反対側の面まで貫通している。
【００２０】
実施の形態２によれば、電気設備を複数配列して電気室に据え付ける場合、左右方向の寸法のズレの累積の影響を抑制することが可能となる。電気室に電気設備を一つずつ配列していく際に、徐々に左右方向のズレが大きくなっていくことがあり、結果として、ベースと電気設備の固定穴に対して電気室床２０の固定部が許容値以上に左右方向にズレてしまい、ボルト３０が対応する穴に挿入できなくなることがある。穴14及び穴９７を長穴１４２，９７２とすることで、この問題が解決できる。本実施の形態２では、電気設備（筐体９）のベース１と固定する為の穴９８も長穴９８２としているが、長穴としなくても構わない。
【００２１】
なお、本発明は、その発明の範囲内において、各実施の形態を適宜、組み合わせ、変形、省略することができる。
なお、各図中、同一符合は同一または相当部分を示す。
【符号の説明】
【００２２】
１  ベース、      １１  ベースの枠、    １１１  ベースの箱形台座、
１１２  ナット、  １２  ベースの電気設備側となる板状部、
１３  ベースの電気室床側となる板状部（箱形台座の電気室床側となる板状部）、
１４  電気設備と電気室床を固定する為にベースの電気設備側に設けた貫通穴、
１５  電気設備と電気室床を固定する為にベースの電気室床側に設けた貫通穴、
１６  ベースと電気設備を固定する為のベースに設けた貫通穴、
９  電気設備の筐体、    ９１  電気設備（筐体）の底板、
９７  電気設備と電気室床を固定する為の電気設備の床面に設けた貫通穴、
９８  ベースと電気設備を固定する為の電気設備の床面に設けた貫通穴、
２０  電気室床、
３０  電気設備を電気室床に固定する為のボルト（第２のボルト）、
３１  電気設備をベースに固定する為のボルト（第１のボルト）、
４０  ワッシャ、
１４２  電気設備と電気室床を固定する為にベースの電気設備側に設けた長穴、
９７２  電気設備と電気室床を固定する為の電気設備の床面に設けた長穴、
９８２  ベースと電気設備を固定する為の電気設備の床面に設けた長穴
【図１】
2018093634.tif 000003
【図２】
2018093634.tif 000004
【図３】
2018093634.tif 000005
【図４】
2018093634.tif 000006
【図５】
2018093634.tif 000007
【図６】
2018093634.tif 000008
【図７】
2018093634.tif 000009